(57)【要約】【課題】板材からなる箱状の支持台において、簡単な構造で自由に高さを調節できる調高台を構成する。さらにダンボール構造の板材で構成するとき、その圧縮強度を高め、複数の板材を簡単に自由に接合する技術を提供する。【解決手段】板材からなる箱状の調高台で、身に蓋を被せて形成される内部空間に、仕切板を鉛直構面、水平構面、傾斜構面の内２種類以上の支持構造を組合せ配置し、高さ調節を行う。ダンボール構造の板材では、板材の隙間に補強部材を入れ、さらに複数の板材を補強部材で連結することにより結合される。【選択図】図１
2018110675.tif 000002
【特許請求の範囲】
【請求項１】
板材で構成される箱状の支持台において、身と蓋と仕切板を備え、身と蓋で形成
される内部空間に、蓋に加わる荷重を支持する支持構造として、複数の仕切板を
組合せた支持構造を備え、さらにこの支持構造と異なる構造の支持構造を組合せ、
合わせて２種類以上の支持構造から支持体が形成され、この支持構造を組合せる
ことで高さを変え、支持台の高さを調節する調高台。
【請求項２】
前記、調高台に関して身の外側に被嵌される構造の蓋で構成され、蓋の被せ深さ
寸法を調高台の高さ調節寸法より大きくし、被せ代を形成することにより蓋が横
ずれしない構造であることを特徴とする、請求項１に記載の調高台。
【請求項３】
前記、調高台に関して身の内側に落とし込む構造の内蓋で構成され、調高台の最大
高さ位置に設定したとき、蓋が身の上端部分からはみ出さない高さとすることに
より蓋が横ずれしない構造であることを特徴とする、請求項１に記載の調高台。
【請求項４】
前記、調高台の身の内部の仕切板の代わりに、ペットボトルを隙間なく整列収納させ
重石を兼ねた支持構造とし、身の内幅寸法をペットボトルの横幅の倍数寸法とした
請求項１に記載の調高台。
【請求項５】
前記、複数の仕切板の一部または全部に、文字や絵や記号を描き、知育教材や
カードゲーム機能を合わせ持させたことを特徴とする、請求項１に記載の調高台。
【請求項６】
ダンボール構造の板材で構成され荷重を受ける構造体において、この板材の芯材
と板材の表面板の間の隙間に、棒状または筒状の補強材を挿入することにより、
この板材の圧縮強度を強化する板構造となることを特徴とする構造体。
【請求項７】
複数のダンボール構造の板材で構造体を構成するとき、この板材の芯材と板材の
表面板の間の隙間に、棒状または筒状の部材を挿入し、この挿入部材で板材相互を
接合することを特徴とする構造体。
【発明の詳細な説明】
【技術分野】
【０００１】
本発明は、板材で構成される箱状の支持台において、板材を組合せることにより、軽量
かつ高強度で高さ調節することが可能な支持台の構造に関する。
【背景技術】
【０００２】
板材で構成される箱状の支持台は、さまざまな材質、サイズ、用途があり、椅子、
テーブル、踏み台、展示台など多岐に渡る。さらに、支持台を利用する場合、その
高さを調節して利用することがあるが、大きな荷重に耐える強度を有しつつ簡便に
高さを調節できる調高台が求められていた。
【０００３】
この箱状の支持台の高さを調節するには、複数の台を重ねて調節する方法が知られ
ている。この場合、高さを微調節することが困難であり、複数の台を重ねると不安定
になり、台の運搬や収納が不便で、複数の台を必要とするため、コストアップが避け
られなかった。
【０００４】
また、箱状の支持台を構成する板材は、ダンボールやハニカムパネルなどの軽量複合
構造材が利用されることが多く、この構造材は部分的な加重に弱く表面板が凹むため、
表面板を厚くするか、異なる材質の表面板を組合せる必要があり、リサイクル性を
損ない、重量増やコストアップを招いていた。
【先行技術文献】
【特許文献】
【０００５】
【特許文献１】実登３０４６４５８号公報
【発明の概要】
【発明が解決しようとする課題】
【０００６】
現状の技術に対して、本発明が解決しようとする課題とは、板材で構成される箱状の
支持台の高さを自由に調節可能で、かつ微調整を可能とし、調高機構と支持台を
一体化させ、大きな荷重にも耐え安定した支持台として機能するということである。
【課題を解決するための手段】
【０００７】
本発明は、板材で構成される箱状の支持台において、身の部分と蓋の部分と内部に
収納される複数の仕切板より構成され、仕切板を鉛直構面、水平構面、傾斜構面の
構造にして組合せ、支持台の荷重を支持するように内部に配置し、支持台の高さを
調節する。
【発明の効果】
【０００８】
本発明の調高台は、シンプルな箱状の支持台であり、その内部に収納される複数の
仕切板を組合せることにより、所望の高さに調節することができ、高さの粗調整に
適した鉛直構面構造と、微調整に適した水平構面構造と、中間の高さ調整に適した
傾斜構面構造を組合せ、最適な高さに調整することができるという利点がある。
【図面の簡単な説明】
【０００９】
【図１】調高台の基本構造を示す斜視図である。      （実施例１）
【図２】調高台で外蓋構造の事例を示す斜視図である。（実施例２）
【図３】調高台で内蓋構造の事例を示す斜視図である。（実施例３）
【図４】調高台で仕切板の代わりにペットボトルを配置した説明図である。                                                      （実施例４）
【図５】ダンボール構造の板材に補強材を挿入した説明図である。                                                      （実施例５）
【図６】複数のダンボール構造の板材を接合した説明図である。                                                      （実施例６）
【発明を実施するための形態】
【００１０】
本実施の形態の特徴的なところは、板材より形成される箱状の形態と、身と蓋と
仕切板の形態と、さらに板材を補強または接合する補強材の形態を有する。
【実施例１】
【００１１】
図１の斜視図は本発明装置の実施例１の斜視図であって、調高台１は身２に蓋３を
被せて形成される内部空間に、仕切板４を鉛直構面として配置し、さらにその上部
に必要な高さとなるよう１枚以上の仕切板５を水平構面として配置することで高さ
調節を行っている。調高台を形成する板材の材質、構造は限定されない。
【００１２】
ここで、内部の仕切板の組合せ構造には、鉛直構面と水平構面と傾斜構面があり、
この支持構造を組合せることで最適な高さに調整することが可能となる。
この仕切板は単板でも折板状でもよい。また仕切板以外にも中空円柱や中空ボール
で支持構造を構成してもよい。この箱状の調高台は四角形に限定しない。
【００１３】
さらに、仕切板の印刷例６のように、仕切板に文字や絵や記号を描き、知育教材や
カードゲーム機能を合わせ持たせ、調高台以外の機能を合わせ持たせることで、
さらなる利便性を付加することができる。例として、ひらがなカードの表面に魚類
の絵を描き、カードにゼムクリップを付け、磁石を付けた釣竿でカードを吊上げる
ゲームを構成する。
【実施例２】
【００１４】
図２の斜視図は本発明の実施例２の斜視図であって、調高台２１は身２２に外蓋２３
を被せて形成される内部空間に、仕切板２４を屏風状に鉛直構面として配置し、
さらにその上部に仕切板２５を水平構面として重ねて配置し、またさらにその上部
に仕切板２６および仕切板２７を傾斜構面として配置して必要な高さに調節する
ものである。
【００１５】
ここで、身２２と外蓋２３が横ずれしないように、必ず被せ代を持って高さ調節を
行うことを特徴とする調高台であり、蓋の被せ深さ寸法は調高台の高さ調節寸法
より小さい。
【実施例３】
【００１６】
図３の斜視図は本発明の実施例３の斜視図であって、調高台３１は身３２に内蓋
３３を落とし込み形成される内部空間に、仕切板３４を屏風状に鉛直構面として
配置し、さらにその上部に仕切板３５を水平構面として重ねて配置し、またさらに
その上部に仕切板３６および仕切板３７を傾斜構面として配置し必要な高さに調節
するものである。
【００１７】
ここで、調高台３１を最大高さ位置に設定したとき、蓋３３が身３２の上端部分
からはみ出さない高さとすることにより蓋が横ずれしないことを特徴とする
調高台であり、調高台の調節寸法は身の深さ寸法から内蓋の高さ寸法を差し引いた
値となる。
【００１８】
さらに、内蓋３３には、身の内部から内蓋を引き抜くときの手掛かりとなる、
タブ３８や空孔３９を内蓋に設けてもよい。
【実施例４】
【００１９】
図４は実施例４を示す正面図と上面図であり、身内部の鉛直構面構造仕切板の
代わりにペットボトルを支持構造物として配置している。  身４１の内幅寸法を
ペットボトル４２の横幅の倍数寸法として、身４１の内部にペットボトル４２を
隙間なく整列収納し、調高台の支持構造と台を安定させる重石を兼ねる。
【００２０】
さらに、調高台に加わる荷重が大きい場合、荷重分散板４３をペットボトルの上部
に配置し、調高台に加わる部分荷重を分散し蓋の変形を防止する。
荷重分散板の材質は、紙、木、樹脂、金属の中から必要な強度の材質を選択する。
【００２１】
この調高台にペットボトル入りの水などを収納することで、普段は台や椅子として
活用できるため邪魔にならず、簡単に取り出すことが可能な、災害等の緊急時の飲料
備蓄に適した収納庫となる。また台内部に空間を形成するように仕切板を左右に寄せ
配置し、この空間にビニール袋を装着し、さらに蓋に穴や切込みをいれることにより
、この台を簡易トイレとして利用できる。
【実施例５】
【００２２】
図５の斜視図は実施例５の斜視図であって、ダンボール構造の板材５１の表面板
５３と芯材５４の間の隙間に、筒状補強材５２を挿入することにより、板材の
圧縮強度を強化する構造となることを特徴とする構造体を形成する。この補強材を
支持台に用いることで強度を上げることができる。
【００２３】
ここで、補強材は筒状でも棒状でもよく、図５では筒状の補強材をダンボール構造
の隙間の一つ空きの空間に挿入し、荷重を分散している。
より強度を高めるには、全ての隙間に棒状の補強材を挿入すればよい。
【実施例６】
【００２４】
図６は実施例６の側面図であって、複数のダンボール構造の板材６３に、蛇腹
ストロー６２を差し込み、複数の板材を接合し立体に構成し、印刷物カード６４
を支えるカード立６１を構成し、前記の調高台の上部に載せカードを見易く示すこと
ができる。
【００２５】
ここで、板材を接合するには、棒状や筒状の部材を隙間に挿入接合し、折り曲げ
る必要がある場合は、図６のように蛇腹ストロー６２を利用するとよい。
さらに直状のストローを折り曲げて使う場合、復元力が強く角度を維持できないため
ストロー内部に針金モールを挿入して曲げてもよい。  また接合部材は必要に応じて
接着される。
【００２６】
この板材を接合する棒状や筒状の挿入部材は櫛歯状に並べ連結し、直状や、任意の
角度のアングル状や、蝶番状に形成したものを使用してもよい。
【産業上の利用可能性】
【００２７】
産業上、高さ調節可能な支持台は、さまざまな分野で利用されている。
椅子、テーブル、展示台、踏み台など、利用形態に応じて最適な高さに調節する
ことで利便性が格段に良くなることから、簡単に低コストで利用できる調高台が
求められていた。本発明によれば、これら調高台の機能を簡単に実現でき、種々
の応用が可能である。
【符号の説明】
【００２８】
１      調高台
２      身
３      蓋
４    仕切板        ５  仕切板
６      仕切板の印刷例
２１    調高台
２２    身
２３    外蓋
２４  仕切板      ２５  仕切板      ２６  仕切板      ２７  仕切板
３１    調高台
３２    身
３３    内蓋
３４  仕切板      ３５  仕切板      ３６  仕切板      ３７  仕切板
３８    タブ
３９    空孔
４１    身
４２    ペットボトル
４３    荷重分散板
５１    ダンボール構造の板材
５２    筒状補強材
５３    表面板
５４    芯材
６１    カード立
６２    蛇腹ストロー
６３    ダンボール構造の板材
６４    印刷物カード
【図１】
2018110675.tif 000003
【図２】
2018110675.tif 000004
【図３】
2018110675.tif 000005
【図４】
2018110675.tif 000006
【図５】
2018110675.tif 000007
【図６】
2018110675.tif 000008